(57)【要約】【課題】汎用性をもたせる。装飾性を高める。【解決手段】多面形の皿形に形成された箱本体部２１と透視可能な材料で形成され箱本体部２１を開閉する蓋部２２とを備えた包装箱２と、包装箱２の箱本体部２１に収容され包装箱２の蓋部２２で飛出しが防止された被包装物１とからなる。被包装物１は、大部分が包装箱２の箱本体部２１に放射状に配置され一部分が放射状の中心に大部分に載せられるように配置されてなる。【選択図】    図１
2005289412.tif 000002
【特許請求の範囲】
【請求項１】
多面形の皿形に形成された箱本体部と透視可能な材料で形成され箱本体部を開閉する蓋部とを備えた包装箱と、包装箱の箱本体部に収容され包装箱の蓋部で飛出しが防止された被包装物とからなり、被包装物は大部分が包装箱の箱本体部に放射状に配置され一部分が放射状の中心に大部分に載せられるように配置されてなる包装構造。
【請求項２】
請求項１の包装構造において、包装箱の箱本体部と被包装物との間に柔軟性を有するシート材が介装されていることを特徴とする包装構造。
【請求項３】
請求項１または２の包装構造において、放射状の被包装物と中心の被包装物との間に柔軟性を有するシート材が介装されていることを特徴とする包装構造。
【請求項４】
請求項１〜３のいずれかの包装構造において、透視可能な材料で形成され包装箱の箱本体部，蓋部の間に挟持されたフィルムが被包装物に被せられていることを特徴とする包装構造。
【発明の詳細な説明】
【技術分野】
【０００１】
本発明は、塊形の被包装物を包装箱に収容して包装する包装構造に係る技術分野に属する。
【背景技術】
【０００２】
果物，菓子等の塊形の被包装物は、包装姿勢が不安定であるという特性がある。このため、塊形の被包装物の包装については、包装姿勢を安定化させるための各種の試みが実施されている。
【０００３】
従来、塊形の被包装物の包装姿勢を安定化させることを指向した包装構造としては、例えば、以下に記載のものが知られている。
【特許文献１】実用新案登録ダイ３０２８２６４号公報  特許文献１には、被包装物に対応したへこみが形成された容器に被包装物を収容し、被包装物，容器を熱収縮性フィルムで一体的に包装してなる包装構造が記載されている。
【０００４】
特許文献１に係る包装構造は、容器のへこみと熱収縮性フィルムとで被包装物を挟込むことで、被包装物の包装姿勢を安定化させるものである。
【発明の開示】
【発明が解決しようとする課題】
【０００５】
特許文献１に係る包装構造では、容器に形成されるへこみが被包装物に対応されて特定の被包装物に専用化されているため、他の大きさ，形状の被包装物を包装することができず汎用性がないという問題点がある。また、容器のへこみと熱収縮性フィルムとで被包装物を挟込むため、挟込みの力の均等化を考慮して被包装物の配置が格子状とならざるを得ず、装飾性が低いという問題点がある。
【０００６】
本発明は、このような問題点を考慮してなされたもので、汎用性があり装飾性の高い塊形の被包装物のための包装構造を提供することを課題とする。
【課題を解決するための手段】
【０００７】
前述の課題を解決するため、本発明に係る包装構造は、特許請求の範囲の各請求項に記載の手段を採用する。
【０００８】
即ち、請求項１では、多面形の皿形に形成された箱本体部と透視可能な材料で形成され箱本体部を開閉する蓋部とを備えた包装箱と、包装箱の箱本体部に収容され包装箱の蓋部で飛出しが防止された被包装物とからなり、被包装物は大部分が包装箱の箱本体部に放射状に配置され一部分が放射状の中心に大部分に載せられるように配置されてなる。
【０００９】
この手段では、多面形の皿形に形成された包装箱の箱本体部で放射状の配置の被包装物を回止めし、中心の被包装物で放射状の被包装物を押して一体化させ、包装箱の蓋部で被包装物の飛出しを防止することで、被包装物の包装姿勢が安定化される。包装箱の箱本体部は、多面形の皿形で種々の大きさ，形状の被包装物を収容することができる。被包装物の配置は、非格子状の放射状とされて包装箱の蓋部から透視される。
【００１０】
また、請求項２では、請求項１の包装構造において、包装箱の箱本体部と被包装物との間に柔軟性を有するシート材が介装されていることを特徴とする。包装箱の箱本体部が多面形の皿形であるため、種々の大きさ，形状の被包装物を収容することができる。
【００１１】
この手段では、包装箱の箱本体部と被包装物との直接的な接触が回避される。
【００１２】
また、請求項３では、請求項１または２の包装構造において、放射状の被包装物と中心の被包装物との間に柔軟性を有するシート材が介装されていることを特徴とする。
【００１３】
この手段では、放射状の被包装物と中心の被包装物との直接的な接触が回避される。
【００１４】
また、請求項４では、請求項１〜３のいずれかの包装構造において、透視可能な材料で形成され包装箱の箱本体部，蓋部の間に挟持されたフィルムが被包装物に被せられていることを特徴とする。
【００１５】
この手段では、フィルムで被包装物が押さえられる。
【発明の効果】
【００１６】
本発明に係る包装構造は、包装箱の箱本体部が多面形の皿形で種々の大きさ，形状の被包装物を収容することができるため、汎用性がある効果がある。また、被包装物の配置が非格子状の放射状とされて包装箱の蓋部から透視されるため、装飾性が高くなる効果がある。
【００１７】
さらに、請求項２として、包装箱の箱本体部と被包装物との直接的な接触が回避されるため、接触による被包装物の傷みが防止される。
【００１８】
さらに、請求項３として、放射状の被包装物と中心の被包装物との直接的な接触が回避されるため、接触による被包装物の傷みが防止される。
【００１９】
さらに、請求項４として、フィルムで被包装物が押さえられるため、被包装物の包装姿勢がより安定化される。
【発明を実施するための最良の形態】
【００２０】
以下、本発明に係る包装構造を実施するための最良の形態を図面に基づいて説明する。
【００２１】
図１，図２は、係る包装構造を実施するための最良の形態の第１例を示すものである。
【００２２】
この形態では、ビワ等の小さな果物からなる小塊形の被包装物１を７個包装するのに好適なものを示してある。
【００２３】
被包装物１を収容する包装箱２は、皿形の箱本体部２１，蓋部２２がヒンジ２３を介して連結されている。箱本体部２１，蓋部２２，ヒンジ２３は、透視可能な透明または半透明の合成樹脂材で一体的に成形されている。箱本体部２１，蓋部２２は、皿形の本体部分２１１，２２１がダイアモンドカットのような多面形に形成され、本体部分２１１，２２１の縁に嵌合のための段部２１２，２２２が形成され、段部２１２，２２２の周囲にフランジ２１３，２２３が延び、フランジ２１３，２２３に空気の流通を確保する空気口２１４，２２４と包装箱２を開閉する位相した摘片２１５，２２５が設けられている。
【００２４】
被包装物１は、６個が包装箱２の箱本体部２１に放射状に配置され、１個が放射状の中心に配置されている。
【００２５】
第１例の包装作業では、まず、包装箱２の箱本体部２１，蓋部２２をヒンジ２３で開放する。このとき、箱本体部２１，蓋部２２の摘片２１５，２２５を使用すると、開放作業が容易になる。
【００２６】
続いて、６個の被包装物１を包装箱２の箱本体部２１に放射状のに配置して収容する。このとき、被包装物１をできるだけ外周方向へ寄せておく。
【００２７】
続いて、図２（Ｂ）に示すように、放射状に配置された６個の被包装物１の中心に上方から、１個の被包装物１を落込こむ。落込まれた１個の被包装物１は、一部分が放射状の６個の被包装物１の隙間に位置され残部分が放射状の６個の被包装物１の上に載せられた格好となる。
【００２８】
この後、包装箱２の箱本体部２１，蓋部２２をヒンジ２３で閉鎖する。このとき、箱本体部２１，蓋部２２の段部２１２，２２２を嵌合させることで、箱本体部２１，蓋部２２
の閉鎖状態を維持することができる。なお、必要に応じて、箱本体部２１，蓋部２２を粘着テープ等で接着して閉鎖状態を強固に維持することもできる。
【００２９】
第１例の包装状態では、多面形の皿形に形成された包装箱２の箱本体部２１の本体部分２１１で放射状の配置の７個の被包装物１が回止めされる。そして、中心の１個の被包装物１で放射状の７個の被包装物１を押して一体化させる。また、包装箱２の蓋部２２で被包装物１の飛出しが防止される。この結果、被包装物１の包装姿勢が安定化されることになる。
【００３０】
なお、包装箱２の箱本体部２１は、本体部分２１が多面形の皿形に形成されているのみで、特定の大きさ，形状の被包装物１に対応したへこみを形成しているわけではない。このため、種々の大きさ，形状の被包装物１を収容することができて汎用性がある。
【００３１】
また、被包装物１の配置は、非格子状の放射状とされて包装箱１の蓋部２２の本体部分２２１から透視される。このため、装飾性が高くなる。
【００３２】
図３は、係る包装構造を実施するための最良の形態の第２例を示すものである。
【００３３】
第２例では、包装箱２の箱本体部２１の本体部分２１１の底部にスポンジ等の緩衝マット３を敷いて、発泡性樹脂シートのような柔軟性のあるシート材４を載せてある。即ち、シート材４は、包装箱２の箱本体部２１の本体部分２１１と放射状の配置の７個の被包装物１との間に介装される。また、同様のシート材４を放射状の配置の７個の被包装物１と中心の１個の被包装物１との間にも介装してある。また、透視可能な材料で形成され包装箱２の箱本体部２１，蓋部２２の段部２１２，２２２，フランジ２１３，２２３の間に挟持されたフィルム５が被包装物１に被せられている。
【００３４】
第２例によると、シート材４によって、包装箱２の箱本体部２１の本体部分２１１と放射状の配置の７個の被包装物１との直接的な接触が回避されるとともに緩衝され、放射状の配置の７個の被包装物１と中心の１個の被包装物１との直接的な接触も回避されるとともに緩衝される。従って、緩衝マット３との相乗で包装後の被包装物１の傷みが防止される。
【００３５】
また、フィルム５によって、既に一体化されている放射状の配置の７個の被包装物１と中心の１個の被包装物１とがさらに強固に一体化されて、被包装物１の包装姿勢がより安定化されることになる。なお、フィルム５を包装箱２の箱本体部２１，蓋部２２の段部２１２，２２２，フランジ２１３，２２３から突出される長さにしておき、包装箱２の箱本体部２１，蓋部２２の閉鎖後にフィルム５を長さ方向へ引張することにより、フィルム５にテンションを掛けて被包装物１の包装姿勢をより安定化させることができる。ちなみに、フィルム５については、展伸性の樹脂材とすることでテンションをかけた場合に抵抗に高い部分で延び変形させて被包装物１の加圧損傷を防止することができ、通気孔５１を穿孔しておくことで被包装物１の蒸れ損傷を防止することができる。
【００３６】
図４は、係る包装構造を実施するための最良の形態の第３例を示すものである。
【００３７】
第３例では、放射状の配置の７個の被包装物１の軸線を放射状の中心に対して角度θをもつように傾斜させている。
【００３８】
第３例によると、放射状の配置が変形されてより装飾性が高くなる。
【００３９】
以上、図示した各例の外に、放射状の配置の被包装物１を６個以下８個以上とすることも可能である。また、中心の被包装物１を２個以上とすることも可能である。
【産業上の利用可能性】
【００４０】
本発明に係る包装構造は、果物以外の被包装物や大塊形の被包装物を包装対象とすることができ、包装の技術分野全般に適用が可能である。
【図面の簡単な説明】
【００４１】
【図１】本発明に係る包装構造を実施するための最良の形態の第１例の平面図であり、（Ａ）に閉蓋状態が示され、（Ｂ）に開蓋状態が示されている。
【図２】図１の側面図であり、（Ａ）が図１（Ａ）に対応し、（Ｂ）が図１（Ｂ）に対応している。
【図３】本発明に係る包装構造を実施するための最良の形態の第２例の部分拡大断面を含む側面図である。
【図４】本発明に係る包装構造を実施するための最良の形態の第３例の平面図である。
【符号の説明】
【００４２】
１            被包装物
２            包装箱
２１          箱本体部
２２          蓋部
４            シート材
５            フィルム
【図１】
2005289412.tif 000003
【図２】
2005289412.tif 000004
【図３】
2005289412.tif 000005
【図４】
2005289412.tif 000006